(57)【要約】【課題】携帯電話機において、メールの受信情報を単に個人別フォルダ（ボックス）に自動振り分けして格納し、表示可能にするだけではなく、選択した通信相手とのメールの送受信情報を、混在させて表示することを目的とする。【解決手段】全体制御部１０と操作部１１と表示部１２と送受信部１３とメールの受信情報を格納する受信ボックス１４とメールの送信情報を格納する送信ボックス１５と電源部１８とを備え、さらに個別ボックス操作部１６と、個人別送受信情報を格納する複数の個別ボックスを備えた個別ボックス部１７とを備え、メールの受信情報を自動振り分けする機能と、選択した通信相手とのメールの送受信情報を、混在させて表示する機能を有するようにした携帯電話機１。【選択図】　　　　図１
2004120550.tif 000002
【特許請求の範囲】
【請求項１】
全体制御部と操作部と表示部と送受信部とメールの受信時にその情報を格納する受信ボックスとメールの送信時にその情報を格納する送信ボックスと電源部とを備えた携帯電話機であって、
さらに個人別の送受信情報を格納する複数の個別ボックスと、個別ボックス操作部とを備え、
選択した通信相手とのメールの送信と受信の情報を、混在させて表示する機能を有する、
ことを特徴とするメール通信相手別通信情報編集表示機能付携帯電話機。
【請求項２】
請求項１記載の携帯電話機において、
表示形式は、時刻順又は時刻別、タイトル及び内容に含まれるキーワード別、及びタイトル別に表示することを、予め指定した項目に従って表示する機能を有する、
ことを特徴とするメール通信相手別通信情報編集表示機能付携帯電話機。
【請求項３】
請求項２に記載の携帯電話機において、
予め指定した通信相手との送受信時に、その情報を指定した個別ボックスに自動的に格納する機能、
及び通信相手を選択すると当該通信相手の個別ボックスよりその送受信情報を読み出して表示する機能を有する、
ことを特徴とするメール通信相手別通信情報編集表示機能付携帯電話機。
【請求項４】
請求項１又は請求項２又は請求項３に記載の携帯電話機において、
通信相手を指定し、送受信情報にパスワードを設定する機能を有する、
ことを特徴とするメール通信相手別通信情報編集表示機能付携帯電話機。
【請求項５】
請求項１乃至請求項４のいずれか１項に記載の携帯電話機において、
指定したメール情報を指定した宛先に送出する機能を有する、
ことを特徴とするメール通信相手別通信情報編集表示機能付携帯電話機。
【発明の詳細な説明】
【０００１】
【発明の属する技術分野】
本発明は、メール通信相手別通信情報編集表示機能付携帯電話機に関する。
【０００２】
【従来の技術】
従来、携帯電話機により電子メール情報を送受信した場合、電子メールは送信ボックスと受信ボックスに保存されており、必要に応じて読み出し、表示することができる。
図５は従来の電子メール情報の送受状況を示す。
携帯電話機の所有者Ａが○月△日に行った相手Ｂ及び相手Ｃとの電子メール情報の送受信状況は、例えば同図（ａ）に示されるとおりである。
即ち、所有者Ａは９：００に相手Ｂにタイトルａ１の電子メール情報を送信し、９：０５に相手Ｂからタイトルｂ１の電子メール情報を受信し、９：１０に相手Ｃからタイトルｃ１の電子メール情報を受信し、その後もこのような送受信が繰り返され、９：３５に相手Ｂからタイトルｂ２の電子メール情報を受信し、９：４０に相手Ｃからタイトルｃ３の電子メール情報を受信し、９：４５にタイトルａ５の電子メール情報を相手Ｃに送信している。
【０００３】
このように所有者Ａが行った送受信の場合、送信ログＡ（送信フォルダ又はボックス）には同図（ｂ）のように送信情報が格納されており、また受信ログＡには同図（ｃ）のように受信情報が格納されていて、これらから読み出して電子メール情報を表示することができる。
即ち、送信ログＡには、○月△日に、新しい時刻順に、タイトルａ５の電子メール情報を９：４５に相手Ｃに、タイトルａ４の電子メール情報を９：３０に相手Ｂに、タイトルａ３の電子メール情報を９：２５に相手Ｃに、タイトルａ２の電子メール情報を９：１５に相手Ｃに、タイトルａ１の電子メール情報を９：００に相手Ｂに、夫々送信した電子メール情報が格納されている。
【０００４】
また受信ログＡには、○月△日に、新しい時刻順に、タイトルｃ３の電子メール情報を９：４０に相手Ｃから、タイトルｂ２の電子メール情報を９：３５に相手Ｂから、タイトルｃ２の電子メール情報を９：２０に相手Ｃから、タイトルｃ１の電子メール情報を相手Ｃから、タイトルｂ１の電子メール情報を９：０５に相手Ｂから、夫々受信した電子メール情報が格納されている。
【０００５】
また受信した電子メール情報を個人別フォルダ（ボックス）に自動振り分けする機能を備えた携帯電話機も提供されている。
しかしこれらは、選択した通信相手との電子メールの送受信情報を、混在させて表示することができるものではなく、また送受信した電子メール情報を、個人別に、且つ指定した項目別（例えば、時刻順又は時刻別、タイトル及び送受信内容（本文）に含まれるキーワード別、タイトル別）に、表示することができるものでもない。
【０００６】
【発明が解決しようとする課題】
本発明は、受信した電子メール情報を単に個人別フォルダ（ボックス）に自動振り分けして格納し、それを表示するだけではなく、選択した通信相手との電子メールの送受信情報を、混在させて表示することを目的とする。
また送受信した電子メール情報を、個人別に、且つ予め指定した項目（例えば、時刻順又は時刻別、タイトル及び送受信内容（本文）に含まれるキーワード別、タイトル別）に従って、表示できるようにすることを目的とする。
【０００７】
【課題を解決するための手段】
上記目的を達成するために、本発明は、全体制御部１０と操作部１１と表示部１２と送受信部１３とメールの受信情報を格納する受信ボックス１４とメールの送信情報を格納する送信ボックス１５と電源部１８とを備えた携帯電話機１であって、さらに個人別の送受信情報を格納する複数の個別ボックスを備えた個別ボックス部１７と個別ボックス操作部１６とを備え、選択した通信相手とのメールの送信と受信の情報を、混在させて表示する機能を有するようにした。
【０００８】
また、上記の場合、時刻順又は時刻別、タイトル及び内容（本文）に含まれるキーワード別、及びタイトル別に表示することを、予め指定した項目に従って表示する機能を有するようにした。
また、上記において、予め指定した通信相手との送受信時に、その情報を指定した個別ボックスに自動的に格納する機能及び通信相手を選択すると当該通信相手の個別ボックスより送受信情報を読み出して表示する機能を有するようにした。
【０００９】
さらに、上記において、通信相手を指定し、送受信情報にパスワードを設定する機能を有するようにした。
さらにまた、上記において、メール情報を指定した宛先に送出する機能を有するようにした。
【００１０】
【発明の実施の形態】
本発明の実施の形態を実施例にもとづき図面を参照して説明する。
図１は携帯電話機の構成をブロック図で示す。
携帯電話機１は、電子メール情報を受信し、また作成した電素メール情報を指定の宛先へ送信可能であり、全体制御部１０、操作部１１、表示部１２、アンテナ１３１を介して外部と通信する送受信部１３、受信したときにその電子メール情報を格納する受信ボックス（ＢＯＸ）１４、送信したときにその電子メール情報を格納する送信ボックス（ＢＯＸ）１５、個別ボックス操作部１６、個別ボックス部１７、電源部１８を備える。
【００１１】
個別ボックス部１７は個人別の受信した電子メール情報を自動振り分けして格納すると共に送信した電子メール情報を自動振り分けして格納するための所望数の個別ボックス１７１、１７２、１７３等を備える。
したがって、各個別ボックスにアクセスすることにより、個人別の送受信情報を容易に読出し、表示することができる。
【００１２】
上記各ボックスは夫々セキュリテイ部１４１、１５１、１７１１、１７２１、１７３１等を備え、各ボックス内をアクセスするには設定されているパスワード対応するパスワードを必要とし、秘密性を保っている。このことは携帯電話機が紛失の可能性が高いものであり、他人に見られないためにも必要である。
【００１３】
図２は、表示される通信相手の一覧画面を示し、月日と氏名が表示されるので、この画面で表示しようとする通信相手の氏名を指定する。
図３は、指定した通信相手をＣとし、時刻別送受を指定した場合の表示画面であり、通信相手Ｃの時刻順の送受信情報が、混在して表示されている。
表示内容は、上記の例に限らず、通信相手別及び／又は予め指定した項目（例えば、時刻順又は時刻別、タイトル及び送受信内容（本文）に含まれるキーワード別、タイトル別）に従って、個別ボックスから情報を読出し、表示することができる。
【００１４】
図４は、通信相手別に、時刻別送受、時刻別送信のみ、時刻別受信のみの情報を表示する場合の処理のフロー図である。
ステップＳ２０で処理がスタートし、ステップＳ２１で、図２に示されるような通信相手一覧を表示する。ステップＳ２２で通信相手（例えば、Ｃ）を指定（選択）する。ステップＳ２３でセキュリテイの確認を行い、ステップＳ２４で確認できなければステップＳ２１へ戻り、確認できるとステップＳ２５で表示方法を表示する。ステップＳ２６で時刻別送受かチェックし、そうであればステップＳ２７で図３に示されるような通信相手Ｃの時刻別の送受信情報（通信相手名、月日、時刻別、送受の別、タイトル）を表示する。
【００１５】
ステップＳ２６でノー（Ｎ）であれば、ステップＳ２８へ進む。ステップＳ２８で時刻別送信のみかチェックし、そうであればステップＳ２９で時刻別の送信情報を表示する。ステップＳ３０で時刻別受信のみかチェックし、そうでなければステップＳ３２へ進み、そうであればステップＳ３１で時刻別の受信情報を表示し、ステップＳ３２で終了かチェックし、そうでなければステップＳ２２へ戻り、そうであればステップＳ３３で処理を終了する。
このようにして、通信相手Ｃの時刻別の送受信情報、或いは時刻別の送信情報、或いは時刻別の受信情報を表示する。
【００１６】
【発明の効果】
本発明によれば、送受信した電子メール情報を個人別に格納しているので、個別ボックスにアクセスすることにより、容易に個人別の送受信情報を読出し、混在させて表示することができると共に、個人別に、且つ予め指定した項目（例えば、時刻順又は時刻別、タイトル及び送受信内容（本文）に含まれるキーワード別、タイトル別）に従って、表示することもできる。
【図面の簡単な説明】
【図１】携帯電話機の構成をブロック図で示す。
【図２】表示される通信相手の一覧画面を示す。
【図３】指定した通信相手をＣとし、時刻別送受を指定した場合の表示画面を示す。
【図４】通信相手別に、時刻別送受信、時刻別送信のみ、時刻別受信のみの情報を表示する場合の処理のフロー図を示す。
【図５】従来の電子メール情報の送受状況を示す。
【符号の説明】
１　携帯電話機
１０　全体制御部
１１　操作部
１２　表示部
１３　送受信部
１４　受信ＢＯＸ
１５　送信ＢＯＸ
１６　個別ＢＯＸ操作部
１７　個別ＢＯＸ部
１８　電源部
【図１】
2004120550.tif 000003
【図２】
2004120550.tif 000004
【図３】
2004120550.tif 000005
【図４】
2004120550.tif 000006
【図５】
2004120550.tif 000007